(57)【要約】【課題】トイレットロールの直径に関係なく、トイレットペーパーを容易に繰り出すことができると同時に、トイレットペーパーを衛生的に保つことができる、トイレットロールホルダを提供する。【解決手段】本発明は、正面、背面、左側面、右側面、及び天面と、底部とを有する樹脂製本体部を有し、正面から底部に及ぶ領域の左右一方側には、少なくともトイレットロールの高さよりも大きな幅を有する取出口が形成され、正面の左右他方側の、取出口と対応する位置には、取出口の幅よりも狭い幅を有する送り窓を有し、左側面又は右側面が、トイレットロールの交換扉を構成する、トイレットロールホルダを提供する。【選択図】図１
2019080736.tif 000002
【特許請求の範囲】
【請求項１】
正面、背面、左側面、右側面、及び天面と、正面から背面にかけて形成された曲面からなる底部とを有する樹脂製本体部を有し、
正面から底部に及ぶ領域の左右一方側には、少なくともトイレットロールの高さよりも大きな幅を有する取出口が形成され、
正面の左右他方側の、前記取出口と対応する位置には、取出口の幅よりも狭い幅を有する送り窓を有し、
左側面又は右側面が、トイレットロールの交換扉を構成する、トイレットロールホルダ。
【請求項２】
前記取出口が、最大高さが４０ｍｍ以上４６ｍｍ以下の略矩形状であり、取出口の角部の少なくとも一部は、面取りされており、前記取出口の上部を構成する辺には、内側に向かう突出部が設けられている、請求項１に記載のトイレットロールホルダ。
【請求項３】
前記突出部が形成された部位における取出口の高さが、３３ｍｍ以上３９ｍｍ以下である、請求項２に記載のトイレットロールホルダ。
【請求項４】
前記取出口が設けられる左右一方側の底部の内面に当接して、トイレットロールを保持する保持部材が設けられており、
保持部材を構成する樹脂が、樹脂製本体部を構成する樹脂に比べて、トイレットロールに対する摩擦係数が低い、熱可塑性樹脂である、請求項１から３のいずれかに記載のトイレットロールホルダ。
【請求項５】
前記熱可塑性樹脂が、ポリアセタール樹脂である、請求項４に記載のトイレットロールホルダ。
【請求項６】
保持部材の一方端部が、取出口から突出しており、突出した一方端部が、弾性部材からなるトイレットロール切断手段を形成している、請求項４又は５に記載のトイレットロールホルダ。
【請求項７】
底部と、保持部材とに、相互に連通する、トイレットペーパー繰り出し用開口部を有する、請求項４から６のいずれかに記載のトイレットロールホルダ。
【請求項８】
さらに、樹脂製本体部の天面に当接する天板を有し、前記天板が、合成樹脂又は金属により形成されている、請求項１から７のいずれかに記載のトイレットロールホルダ。
【請求項９】
前記交換扉に、ロック機構が備えられる、請求項１から８のいずれかに記載のトイレットロールホルダ。
【発明の詳細な説明】
【技術分野】
【０００１】
本発明は、トイレットロールホルダに関する。
【背景技術】
【０００２】
トイレに配置される、トイレットロールは、通常、トイレットペーパーを繰り出し可能な状態でトイレットロールホルダに支持されており、様々な形状のものが知られている。従来、トイレットロールホルダとしては、トイレットロールの芯の内側に軸を通して、この軸を保持することにより、トイレットロールを保持するものが一般的であったが、近年、トイレットロールの外側からトイレットロールを保持するトイレットロールホルダも広く普及している。
【０００３】
ここで、トイレットロールホルダは、家庭に設置される場合もあれば、オフィスビルや病院等に設置される場合もあるが、後者の場合、多数の利用者がトイレットペーパーを使用するため、前者の場合と比較してトイレットペーパーの使用量が必然的に多くなる。このため、オフィスビルや病院等では、複数個のトイレットロールを収容できるトイレットロールホルダを設置することが求められていた。例えば、特許文献１には、複数のトイレットロールを収容可能なトイレットロールホルダが開示されている。
【０００４】
ところで、トイレットロールに関しては、一般に、直径１２０ｍｍのものが広く流通しているものの、特に、家庭用のトイレットロール以外では、より大きな直径（例えば、直径１２８ｍｍ等）を有するトイレットロールの使用も広がっている。
【先行技術文献】
【特許文献】
【０００５】
【特許文献１】特開２０１３−０６３２１０号公報
【発明の概要】
【発明が解決しようとする課題】
【０００６】
ここで、直径の大きなトイレットロールを特許文献１のトイレットロールホルダに代表される従来のトイレットロールホルダに収容した場合、これが収納できる場合でも、トイレットロールの直径が大きいために、トイレットペーパーの引き出し時の抵抗が大きくなる等して、トイレットペーパーが破れてしまう等、トイレットペーパーを円滑に引き出せない場合もあった。一方、トイレットロールからトイレットペーパーを引き出しやすくするために、トイレットロールとトイレットロールホルダの接触部位を少なくして、トイレットロールが比較的広範囲にわたって露出された状態にすることも可能ではあるが、そのような場合には、トイレットロールを、不特定多数の人が触れる状態になるため、衛生面で問題が生じることが懸念されていた。
【０００７】
したがって、本発明は、以上の課題に鑑みてなされたものであり、トイレットロールの直径に関係なく、トイレットペーパーを容易に繰り出すことができると同時に、トイレットペーパーを衛生的に保つことができる、トイレットロールホルダを提供することを目的とする。
【課題を解決するための手段】
【０００８】
本発明の発明者らは、上記課題に鑑み、鋭意研究を行った。その結果、正面、背面、左側面、右側面、天面と、曲面からなる底部を有する樹脂製本体部を有し、正面から底部に及ぶ領域の左右一方側に取出口が、正面の左右他方側に、送り窓が形成されたトイレットロールホルダによれば、上記課題を解決できることを見出し、本発明を完成するに至った。具体的には、本発明は、以下のものを提供する。
【０００９】
（１）正面、背面、左側面、右側面、及び天面と、正面から背面にかけて形成された曲面からなる底部とを有する樹脂製本体部を有し、正面から底部に及ぶ領域の左右一方側には、少なくともトイレットロールの高さよりも大きな幅を有する取出口が形成され、正面の左右他方側の、前記取出口と対応する位置には、取出口の幅よりも狭い幅を有する送り窓を有し、左側面又は右側面が、トイレットロールの交換扉を構成する、トイレットロールホルダ。
【００１０】
（２）前記取出口が、最大高さが４０ｍｍ以上４６ｍｍ以下の略矩形状であり、取出口の角部の少なくとも一部は、面取りされており、前記取出口の上部を構成する辺には、内側に向かう突出部が設けられている、（１）に記載のトイレットロールホルダ。
【００１１】
（３）前記突出部が形成された部位における取出口の高さが、３３ｍｍ以上３９ｍｍ以下である、（２）に記載のトイレットロールホルダ。
【００１２】
（４）前記取出口が設けられる左右一方側の底部の内面に当接して、トイレットロールを保持する保持部材が設けられており、保持部材を構成する樹脂が、樹脂製本体部を構成する樹脂に比べて、トイレットロールに対する摩擦係数が低い、熱可塑性樹脂である、（１）から（３）のいずれかに記載のトイレットロールホルダ。
【００１３】
（５）前記熱可塑性樹脂が、ポリアセタール樹脂である、（４）に記載のトイレットロールホルダ。
【００１４】
（６）保持部材の一方端部が、取出口から突出しており、突出した一方端部が、弾性部材からなるトイレットロール切断手段を形成している、（４）又は（５）に記載のトイレットロールホルダ。
【００１５】
（７）底部と、保持部材とに、相互に連通する、トイレットペーパー繰り出し用開口部を有する、（４）から（６）のいずれかに記載のトイレットロールホルダ。
【００１６】
（８）さらに、樹脂製本体部の天面に当接する天板を有し、前記天板が、合成樹脂又は金属により形成されている、（１）から（７）のいずれかに記載のトイレットロールホルダ。
【００１７】
（９）前記交換扉に、ロック機構が備えられる、（１）から（８）のいずれかに記載のトイレットロールホルダ。
【発明の効果】
【００１８】
本発明のトイレットロールホルダは、正面、背面、左側面、右側面、及び天面と、曲面からなる底部とを有する樹脂製本体部を有し、この樹脂製本体部には、正面から底部に及ぶ領域の左右一方側に取出口が、正面の左右他方側に、送り窓が形成されている。トイレットロールは、この樹脂製本体部に収容されるので、トイレットペーパーを衛生的に保つことができる。また、樹脂製本体部の底部が、曲面からなるものであるので、トイレットロールの直径や重量に関係なく、トイレットペーパーを容易に繰り出すことができる。
【図面の簡単な説明】
【００１９】
【図１】本発明のトイレットロールホルダの斜視図を示す図面である。
【図２】本発明のトイレットロールホルダの保持部材の拡大図を示す図面である。
【図３】図１におけるＡ−Ａ断面図を示す図面である。
【発明を実施するための形態】
【００２０】
以下、本発明について、図面を参照して詳細に説明する。なお、本明細書においては、以下に説明する正面２１を前側、背面２２を後側、左側面２３を左側、右側面２４を右側、天面２５を上側と称し、上側の反対側を下側と称する。なお、本明細書では、左右方向の寸法を幅と称することがあり、上下方向の寸法を高さと称することがあり、前後方向の寸法を奥行と称することがある。
【００２１】
＜トイレットロールホルダ＞
［樹脂製本体部］
図１は、本発明のトイレットロールホルダ１の斜視図を示す図面である。本発明のトイレットロールホルダ１は、正面２１、背面２２、左側面２３、右側面２４、及び天面２５と、正面２１から背面２２にかけて形成された曲面からなる底部２６を有する樹脂製本体部２を有する。樹脂製本体部２は、断面Ｕ字状の筐体からなり、正面２１、底部２６、及び背面２２から構成される面が、断面略Ｕ字状の面を形成している。左側面２３及び右側面２４は、この正面２１、底部２６、及び背面２２から構成される面の断面形状に併せ、Ｕ字状の形態の面を形成しており、左側面２３及び右側面２４のうち、一方が、トイレットロールの交換扉を形成して、開閉可能となっており、他方は、正面２１、背面２２、及び底部２６に固定されている。トイレットロールの交換扉には、トイレットロールの盗難を防止するためのロック機構や開閉バネ備えていることが好ましい。このロック機構としては、鍵やネジ等を挙げることができる。
【００２２】
正面２１から背面２２に至る底部２６が、曲面からなっていることにより、トイレットロールの直径に関係なく、トイレットペーパーを容易に繰り出すことができる。なお、底部２６を構成する局面は、通常のトイレットロール（例えば、直径１２０ｍｍのトイレットロール）の表面の曲率より、大きな曲率半径を有していることが好ましく、より具体的には、６２ｍｍ以上６５ｍｍ以下であることが好ましい。
【００２３】
本発明のトイレットロールホルダ１は、直径が比較的大きなトイレットロールを収容することもできるが、このような場合には、トイレットロールの交換頻度を低減することができ、その場合においても、トイレットペーパーをスムーズに取り出すことができる。また、樹脂製本体部２が樹脂により形成されていることにより、着色、塗装、印刷等が容易であり、デザイン性に優れたトイレットロールホルダ１に構成することができる。また、樹脂製本体部２が軽量であるため、壁面等へも簡単に取り付けることができる。
【００２４】
［取出口］
本発明のトイレットロールホルダ１は、正面２１から底部２６に及ぶ領域の左右一方側に取出口３が設けられている。この取出口３は、トイレットロールから、トイレットペーパーを繰り出すためのものであり、少なくともトイレットロールの高さ（トイレットロールを円柱とみなしたときの高さに該当する）よりも大きな幅を有していることが好ましく、１１５ｍｍ以上１３０ｍｍ以下の幅を有していることが好ましい。取出口３が、トイレットロールの高さより大きな幅を有していることにより、トイレットロールから、トイレットペーパーを、取出口３に障害されることなく繰り出すことができる。また、取出し口３の高さは、トイレットロールの使用後に紙管を容易に取り出せるようにするため、紙管の直径（例えば、直径３８ｍｍ）よりも大きいものである必要があり、好ましくは４０ｍｍ以上４６ｍｍ以下であり、より好ましくは４３ｍｍ以上４５ｍｍ以下である。また、後述するように、トイレットペーパーの使用に伴って、小径となったトイレットロールが使用中に脱落することを防止するために、内側に向かう突出部３２が設けられていることが好ましく、突出部３２が形成された取出口３の辺における、突出部３２以外の部位の幅は、１カ所あたり、２５ｍｍ以上であることが好ましい。これにより、紙管を容易に取り出すことができる。
【００２５】
さらに、取出口３は、これを平面に投影した際の形状が、略矩形状であることが好ましいが、取出口３の角部３１の少なくとも一部は、面取りされて、取出口３を構成する長辺の長さが、取出口３の最大幅よりも短くなっていることが好ましい。これにより、トイレットペーパーを使用することに伴い、トイレットロールの半径が減少した場合であっても、効果的に、取出口３からのトイレットロールの脱落を防止することができる。
【００２６】
上述のように、取出口３の上部を構成する辺については、突出部３２が内側に向かって突出していることが好ましい。これにより、この突出した突出部３２が、ストッパとして作用し、トイレットペーパーを使用することによりトイレットロールの半径が減少した場合であっても、取出口３からのトイレットロールの脱落を効果的に防止することができる。突出部３２は、例えば、取出口３の対向する辺との離間距離（突出部３２が形成された部位における取出口３の高さ）が、３３ｍｍ以上３９ｍｍ以下であることが好ましい。突出部３２の形状は、回転するロールを傷つけないように、その角部が小さな曲率を有していることが好ましく、その位置は取出口３の左右方向中央に１カ所であることが、飛出し防止に効果的であり、かつ紙管の取出しに影響を与えにくい点から好ましい。
【００２７】
［送り窓］
本発明のトイレットロールホルダ１は、取出口３が形成された左右一方側と反対側の、左右他方側の、取出口３と対応する位置に、取出口３の幅よりも狭い幅を有する送り窓４を有する。送り窓４は、高さ及び幅共に、取出口３よりも小さくなっており、取出口３が、正面２１から底部２６に及んでいるのに対して、送り窓４は、主に、正面のみに形成されている。送り窓４の幅は、好ましくは、トイレットロールの高さよりも小さく、２５ｍｍ以上３０ｍｍ以下であることがより好ましく、送り窓４から露出するトイレットロールの側面に指をあてて、トイレットロールを他方側から一方側へ送り出すことにより、トイレットロールを取出口３側に配置できるようになっている。また、隣接する取出口３の送り窓４側の端部と、送り窓４の取出口３側の端部との間隔は３５ｍｍ以下であることが好ましい。
【００２８】
本発明においては、トイレットロールが、正面、背面、左側面、右側面、天面、及び底部からなる樹脂製本体部２で覆われ、取出口３、送り窓４等、限られた部位のみが開口しているので、トイレットロールと使用者の手指が触れる機会を低減することができ、不特定多数の人が使用する場合であっても、トイレットロールを衛生的に保つことができる。
【００２９】
［保持部材］
図２は、本発明のトイレットロールホルダ１の保持部材５の拡大図を示す図面であり、図３は、図１におけるＡ−Ａ断面図を示す図面である。保持部材５は、取出口３が設けられる左右一方側における、樹脂製本体部２の底部２６の内面に当接して設けられており、トイレットロールを保持するものである。ここで、保持部材５の左右両端部には、フランジ５２が形成されていてもよく、これにより、保持部材５に支持されたトイレットロールが、トイレットペーパーの繰り出しに伴って、保持部材５の左右方向に変位することを防止してもよい。保持部材５の左右方向の寸法は、トイレットロールの高さよりも僅かに大きな寸法を有することが好ましく、１１８ｍｍ以上１２８ｍｍ以下であることがより好ましい。また、保持部材５の、取出口３と反対側の端部は、樹脂製本体部２の底部２６の内面に係合して固定されていてもよく、保持部材５の取出口３側の端部は、自由端となっていてもよい。逆に、保持部材５の底面の全体が、樹脂製本体部２の底部２６の内面に固定されていてもよい。いずれにせよ、保持部材５の取出口３側の端部は、取出口３から突出していることが好ましく、この突出した端部に、弾性部材からなるトイレットロール切断手段が形成されていることが好ましい。保持部材５が、トイレットロールと接触する場合、保持部材５と、トイレットロールとの接触点２点の、トイレットロールに対する接線が交差する各の角度は、１３０°以下であることが好ましい。これにより、トイレットペーパーの繰り出し時における、前後方向へのトイレットロールの移動を抑制可能となるとともに、トイレットペーパーを繰り出しやすくなる。また、保持部材５における、トイレットロールへの接触点については、逆Ｒ形状に成形してもよく、これにより、トイレットロールと保持部材５との接触面積を低減し、トイレットペーパーの引き出し抵抗を低下させることができる。
【００３０】
保持部材５を構成する樹脂については、樹脂製本体部２を構成する樹脂に比べて、トイレットロールに対する摩擦係数が低い、熱可塑性樹脂であることが好ましい。本発明においては、例えば、樹脂製本体部２については、ＡＢＳ樹脂で形成することが好ましく、保持部材５については、ポリアセタール樹脂であることが好ましく、トイレットロール切断手段５１については、熱可塑性エラストマー樹脂であることが好ましい。
【００３１】
本発明のトイレットロールホルダ１は、トイレットペーパーをスムーズに繰り出すことができるとともに、トイレットペーパーの破れや、紙粉の発生も効果的に防止することができる。
【００３２】
［トイレットペーパー繰り出し用開口部］
本発明のトイレットロールホルダ１は、保持部材５と底部２６とを、相互に貫通するトイレットペーパー繰り出し用開口部６を有している。トイレットロールホルダ１が、トイレットペーパー繰り出し用開口部６を有していることにより、この部位に指をあてて、トイレットロールを回転させることにより、トイレットペーパーを繰り出すことができる。トイレットペーパー繰り出し用開口部６の左右方向の寸法は、２５ｍｍ以上３０ｍｍ以下であることが好ましく、前後方向の寸法は、３０ｍｍ以上５０ｍｍ以下であることが好ましい。トイレットペーパー繰り出し用開口部６の前後方向の寸法は、左右方向の寸法よりも大きいことが好ましく、これにより、トイレットロールを回転させやすくなる。
【００３３】
なお、本発明のトイレットロールホルダ１においては、トイレットペーパー繰り出し用開口部６とは別に、紙粉排出用の開口部を設けてもよい。
【００３４】
［天板］
本発明のトイレットロールホルダ１は、樹脂製本体部２の天面２５と当接して、天板７を有することが好ましい。この天板７は、合成樹脂及び／又は金属により形成されていることが好ましい。例えば、天板７の表面材は、ステンレス鋼により形成されていることが好ましい。
【００３５】
＜トイレットロールホルダの使用方法＞
本発明のトイレットロールホルダ１には、トイレットロールを複数個、例えば、２個収容することが好ましい。この場合、トイレットロールの一方を使用するとともに、他方を予備として保持することが好ましい。
【符号の説明】
【００３６】
１      トイレットロールホルダ
２      樹脂製本体部
２１    正面
２２    背面
２３    左側面
２４    右側面
２５    天面
２６    底部
３      取出口
３１    角部
３２    突出部
４      送り窓
５      保持部材
５１    トイレットロール切断手段
５２    フランジ
６      トイレットペーパー繰り出し用開口部
７      天板
【図１】
2019080736.tif 000003
【図２】
2019080736.tif 000004
【図３】
2019080736.tif 000005